(57)【要約】【課題】給紙カセットの引きこみレバーが引きこみ状態時にカセットを挿入されても、不具合なく操作性の良い記録装置を提供する。また引きこみレバーがどのような状態に陥ってもカセットを引き出すことが出来るような記録装置を提供する。【解決手段】カセット引きこみレバーに弾性部をもうけ、またレバーのガイド部材の溝にレバーの退避用の溝をつける。【選択図】        図１
2006036475.tif 000002
【特許請求の範囲】
【請求項１】
記録装置本体に着脱可能な、シート材を積載する給紙カセットを有する記録装置において、
前記記録装置本体に対して、シート材搬送方向に前記給紙カセットを引き込むための引き込み機構を有し、その前記引き込み機構がどの位置にあっても前記給紙カセットが着脱可能であって、
その前記引き込み機構が前記給紙カセットを引き込む引き込み部材と、前記引き込み部材に付勢力を与える付勢部材と、前記引きこみ部材が摺動するガイド部材で構成されていることを特徴とする記録装置。
【請求項２】
前記引き込み機構が、前記引き込み部材の引き込み状態時に前記記録装置本体に前記給紙カセットが挿入されたときの退避経路を有することを特徴とする請求項１に記載の記録装置。
【請求項３】
前記引き込み機構が、前記引き込み部材の引き込み状態時に前記記録装置本体に前記給紙カセットが挿入されたとき、前記引き込み部材が退避し、自らの弾性で再び引きこみ状態に復帰することを特徴とする請求項１又は２に記載の記録装置。
【請求項４】
前記引き込み機構が、前記記録装置本体に前記給紙カセット装着時状態において、前記給紙カセットを前記記録装置本体に付勢していることを特徴とする請求項１乃至３いずれかに記載の記録装置。
【請求項５】
前記引き込み機構が、前記給紙カセットの側面に構成されていることを特徴とする請求項１乃至４いずれかに記載の記録装置。
【請求項６】
前記引き込み機構が、前記給紙カセットの基準側側面に構成されていることを特徴とする請求項５に記載の記録装置。
【請求項７】
前記記録装置がインクジェット記録装置であることを特徴とする請求項１乃至６いずれかに記載の記録装置。
【発明の詳細な説明】
【技術分野】
【０００１】
本発明は記録装置本体に給紙カセットを着脱する記録装置に関する。
【背景技術】
【０００２】
従来、記録装置においては、カセットを有し、それが着脱可能であって、かつカセット引きこみ機構を有するものがある。この構成においてカセット引きこみ機構と給紙カセットの位置関係の不良が発生した際、自己補正するような構成が開示されている（例えば、特許文献１参照。）。
【特許文献１】特開平９−２４０８８８号公報（図１０、段落［００２７］）
【発明の開示】
【発明が解決しようとする課題】
【０００３】
しかしながら、上記従来例の記録装置において，カセット引きこみ機構の引きこみレバーの位置が、カセットの挿入を待つ待機状態にいないときにカセットが挿入されたとき、上記従来例では、押し込まれたカセットのピンを引きこみレバーが無理やり乗り越えるようにする為に引きこみレバーに傾斜面を設ける構成にしている。しかしながらこの構成によると、引きこみレバーをカセットのピンに乗り上げされる際に大きな押し込み力が必要となり、また乗り越える際に異音を発してしまう。さらに引きこみレバーが乗り越える為の隙間をカセットとレバーのガイドをするガイド部材の間に設ける必要がある。この隙間は、通常は記録装置へのカセットの取り付け性能を下げる要因となる為、本来ならば出来るだけ隙間をなくす構成としたい。
【０００４】
また本構成では、引きこみレバーの回転不良で、引きこみレバーよりも先にカセットが入り込んでしまった場合、カセットを引き出すことが出来なくなってしまう。
【０００５】
そこで、本発明は上記課題に鑑みてなされたものであり、その目的とするところは、引きこみレバーが引きこみ状態時にカセットを挿入されたとき、使用者が余分な力を必要とせず、また異音も発しない記録装置を提供することである。また引きこみレバーがどのような状態に陥ってもカセットを引き出すことが出来るような記録装置を提供することである。
【課題を解決するための手段】
【０００６】
上記目的を達成するため、本発明の記録装置は、記録装置本体に着脱可能な、シート材を積載する給紙カセットを有する記録装置において、前記記録装置本体に対して、シート材搬送方向に前記給紙カセットを引き込むための引き込み機構を有し、その前記引き込み機構がどの位置にあっても前記給紙カセットが着脱可能であって、その前記引き込み機構が前記給紙カセットを引き込む引き込み部材と、前記引き込み部材に付勢力を与える付勢部材と、前記引きこみ部材が摺動するガイド部材で構成されている。
【０００７】
また、前記引き込み機構が、前記引き込み部材の引き込み状態時に前記記録装置本体に前記給紙カセットが挿入されたときの退避経路を有する。
【０００８】
また、前記引き込み機構が、前記引き込み部材の引き込み状態時に前記記録装置本体に前記給紙カセットが挿入されたとき、前記引き込み部材が退避し、自らの弾性で再び引きこみ状態に復帰する。
【０００９】
また、前記引き込み機構が、前記記録装置本体に前記給紙カセット装着時状態において、前記給紙カセットを前記記録装置本体に付勢している。
【００１０】
また、前記引き込み機構が、前記給紙カセットの側面に構成されている。
【００１１】
また、前記引き込み機構が、前記給紙カセットの基準側側面に構成されている。
【００１２】
また、前記記録装置がインクジェット記録装置である。
【発明の効果】
【００１３】
本発明によれば、引きこみレバーが引きこみ状態時にカセットを挿入されたとき、使用者が余分な力を必要とせず、また異音も発しない記録装置を提供することができる。また引きこみレバーがどのような状態に陥っても（引きこみレバーがどの位置にあっても）カセットを引き出すことが出来るような記録装置を提供することができる。
【発明を実施するための最良の形態】
【００１４】
以下、本発明の実施形態について図面を参照して説明する。
【実施例】
【００１５】
図１は、本発明を適用した記録装置の全体構成を示す、模式的斜視図である。また図２は図１における矢印Ａ方向から見た、記録装置の全体構成を示す模式的断面図である。また図３は記録装置の前方下部に着脱される給紙カセット周辺の模式的斜視図である。
【００１６】
図１および図２に示すように、本実施形態の記録装置は、記録ユニット本体１、記録ユニット本体１の構造を支えるシャーシ１０、インクを吐出して記録を行う記録ヘッド１１および記録ヘッド１１へ供給するインクを蓄えるインクタンク１２を保持して、シート状の被記録媒体である被記録用紙の搬送方向（副走査方向）に対して交わる方向（主走査方向）に走査するキャリッジ１３、キャリッジ１３を支持するガイドシャフト１４、ガイドシャフト１４と平行にキャリッジ１３を支持するガイドレール１５、キャリッジ１３を駆動するためのキャリッジベルト１６、プーリを介してキャリッジベルト１６を駆動するキャリッジモータ１７、キャリッジ１３の位置を検出するためのコードストリップ１８、およびキャリッジモータ１７のプーリと対向してキャリッジベルト１６を張架するアイドルプーリ１９を有している。
【００１７】
さらに、記録装置は、被記録用紙を搬送する紙送りローラ２１、紙送りローラ２１に押圧されて従動するピンチローラ２２、ピンチローラ２２を回転可能に保持するピンチローラホルダ２３、ピンチローラ２２を紙送りローラ２１に圧接するピンチローラばね２４、紙送りローラ２１に固定された紙送りローラプーリ２５、紙送りローラ２１を駆動するＬＦモータ２６、紙送りローラ２１の回転角度を検出するためのコードホイール２７、記録ヘッド１１に対向配置された、被記録用紙を支えるプラテン２９、紙送りローラ２１と協働して被記録用紙を搬送する第１の排紙ローラ３０、第１の排紙ローラ３０の下流側に設けられた第２の排紙ローラ３１、第１の排紙ローラ３０に対向して被記録用紙を保持する第１の拍車列３２、第２の排紙ローラ３１と対向して被記録用紙を保持する第２の拍車列３３、第１の拍車列３２と第２の拍車列３３を回転可能に保持する拍車ベース３４を有している。
【００１８】
さらに、記録装置は、記録ヘッド１１のノズルからインクを吸引して目詰まりを防止したり、インクタンク１２を交換した時に記録ヘッド１１のノズルからインクを吸引して記録ヘッド１１の流路内の気泡等を除去したりする際に使用するメインテナンスユニット３６、被記録用紙を積載し、記録動作時に被記録用紙を１枚ずつ記録装置に供給するメインＡＳＦ（Ａｕｔｏｍａｔｉｃ  Ｓｈｅｅｔ  Ｆｅｅｄｅｒ）３７、メインＡＳＦ３７の土台となるＡＳＦベース３８、メインＡＳＦ３７に積載された被記録用紙に当接し搬送を行う給紙ローラ３９、複数枚の被記録用紙が同時に搬送された時に１枚ずつに分離する分離ローラ４０、被記録用紙を積載し、被記録用紙を給紙ローラ３９の方向に付勢するための圧板４１、圧板４１上に設けられ、任意の被記録用紙の幅に固定可能なサイドガイド４２、給紙動作時に給紙ローラ３９と分離ローラ４０とのニップ部よりも先に進んでしまった被記録用紙の先端を所定位置まで戻すための戻し爪（不図示）を有している。
【００１９】
さらに図３に示すように、記録動作時に略水平方向から被記録用紙を１枚ずつ記録装置に供給するＰＦＵ（Ｐａｐｅｒ  Ｆｅｅｄ  Ｕｎｉｔ）６０、ＰＦＵ６０の土台となるＰＦベース６１、ＰＦＵ６０から被記録用紙を給紙させるために被記録用紙を積載する給紙カセット８０、給紙カセット８０に積載された被記録用紙に当接し搬送を行うカセット給紙ローラ６２、複数枚の被記録用紙が同時に搬送された時に１枚ずつに分離するカセット分離ローラ６３、給紙動作時にカセット給紙ローラ６２とカセット分離ローラ６３とのニップ部よりも先に進んでしまった被記録用紙の先端を所定位置まで戻すためのカセット戻し爪６４を有している。
【００２０】
次に図３と図４を用いて給紙カセット８０とその記録装置周辺部を説明する。図４は給紙カセット８０を本体に着脱させるために記録装置下部に構成されているカセット引き込み機構の模式的斜視図である。給紙カセット８０は、カセットの外枠を構成するインナーカセット８１、アウターカセット８２、被記録用紙を積載し、被記録用紙をカセット給紙ローラ６２の方向に付勢するためのカセット圧板８３、インナーカセット８１上に設けられ任意の被記録用紙の横サイズに固定可能なカセットサイドガイド８４、アウターカセット８２上に設けられ、任意の被記録用紙の縦サイズに固定可能なカセットエンドガイド８５を有している。
【００２１】
さらに記録装置下部には、給紙カセット８０の記録装置本体への着脱をガイドするカレットレールＬ６５、カセットレールＲ６６、被記録用紙を積載したカセット圧板８３にカセット給紙ローラ６２の方向へ付勢力を与えるための圧板バネＬ６７、圧板バネＲ６８、圧板バネＬ６７の付勢力を受けて上下運動をする圧板アームＬ６９、圧板バネＲ６８の付勢力を受けて上下運動をする圧板アームＲ７０を有し、この圧板アームＬ６９と圧板アームＲ７０にカセット圧板の当接部８３ａ、８３ｂが載る形で保持されている。またカセット給紙ローラ６２の左右軸端部には、圧板アームＬ６９と圧板アームＲ７０の上下運動を制御するピックアップカムＬ７４、ピックアップカムＲ７５が取り付けられ、カセット給紙ローラ６２が回転することによって、圧板アームＬ６９、圧板アームＲ７０が上下運動することによって、カセット圧板８３はカセット給紙ローラ６２の方向へ付勢され、それにより被記録材を給紙している。また記録装置下部はカセット引き込みレバー７１と引き込みバネ７２を有し、これによってカセット引き込み機構を構成している。また本構成はカセット引き込みレバー７１が給紙カセット８０の側面に構成されている。そのため、カセット引きこみレバー７１が給紙カセット８０の下部に構成されるよりも記録装置本体の高さを低く抑えることが出来る。またカセット引きこみレバー７１による引きこみ力が作用するポイントと、給紙カセット８０の前方にある図示せざる給紙カセットの記録装置本体への突き当て部とを、キャリッジの走査する主走査方向においてできるだけ同一方向にすることが望ましい。そうすることで記録装置本体に対する給紙カセット８０の傾き成分を抑えることが出来る。またカセット引きこみレバー７１は給紙カセット８０における紙の基準面側に設けることが望ましい。
【００２２】
以上が本発明を適用した記録装置の概略構成である。次に本実施形態のカセット引きこみ機構の具体的構成を説明する。
【００２３】
本実施形態の記録装置は、記録装置前方の略水平方向に着脱可能な給紙カセット８０を有し、この給紙カセット８０が記録装置本体に構成されているカセット引き込み機構がどのような状態にあっても給紙カセット８０を記録装置に着脱できることを特徴としている。
【００２４】
次に図５、図６を用いて、カセット引き込み機構の動作を説明する。
【００２５】
図５はカセット引き込み時の記録装置下部を上方から見たときの、カセット引き込み機構の一連の動作を示す模式的上面図である。図６はカセット引き込み時の記録装置下部を下方から見たときの、カセット引き込み機構の一連の動作を示す模式的下面図である。
【００２６】
図５（ａ）は、給紙カセット８０が記録装置本体に挿入される状態を示した図である。カセット引き込み機構を構成するカセット引き込みレバー７１と引き込みバネ７２は図のような状態で給紙カセット８０の挿入を待つ。このときカセット引き込みレバー７１は、引き込みバネ７２によって、付勢力Ｆ１で付勢されている。この状態がカセット引きこみレバー７１が給紙カセット８０の挿入を待つ通常待機位置である。図６（ａ）は図５（ａ）の状態を裏面から見たときの図である。カセットレールＲ６６は、２つの溝６６ａを持ち、この溝６６ａをカセット引き込みレバー７１が摺動しながら回動する。図６（ａ）において、カセット引き込みレバー７１は、引き込みバネ７２によって、付勢力Ｆ１で付勢されているためカセット引き込みレバー７１は図６（ａ）の状態で停止する。
【００２７】
図５（ｂ）は、給紙カセット８０の記録装置本体への挿入が始まった状態を示した図である。給紙カセット８０は使用者によって挿入力Ｆ２で記録装置本体に挿入され、カセット引き込みレバー７１は図のように７１ａの面でインナーカセット８１の面８１ａに当接する。このとき挿入力Ｆ２は、引き込みバネ７２による付勢力Ｆ１の付勢力がカセット引き込みレバーのタブ７１ｃを中心として作用する、カセット引き込みレバー７１を保持しようとする保持力よりも大きいとき、カセット引き込みレバー７１は回動を開始し、給紙カセット８０の挿入が始まる。図６（ｂ）は図５（ｂ）の状態を裏面から見たときの図である。
【００２８】
図５（ｃ）は、さらに給紙カセット８０が挿入され、その力によってカセット引き込みレバー７１が回動し、引き込みバネ７２の付勢力Ｆ４が給紙カセット８０を記録装置本体に引き込む力に変わる様子を示した図である。図５（ｂ）からカセット引き込みレバー７１は、給紙カセット８０を挿入する力Ｆ２によってカセットレールＲ６６の溝６６ａに沿って摺動しながら回動する。そしてカセット引き込みレバー７１は７１ｂの面でインナーカセット８１の面８１ｂを押し始め、カセット引き込みレバー７１は、引き込みバネ７２の付勢力Ｆ４によって、給紙カセット８０を記録装置本体に引き込む。図６（ｃ）は図５（ｃ）の状態を裏面から見たときの図である。
【００２９】
図５（ｄ）は、給紙カセット８０が記録装置本体に完全に装着されたときの様子を示した図である。このときインナーカセット８１の図示せざる先端部は図示せざるＰＦベース６１に当接した状態で留まり、カセット引き込みレバー７１は、引き込みバネ７２によって付勢力Ｆ５を受け、その力で給紙カセット８０を図示せざるＰＦベース６１に当接させた状態で保持し続ける。この付勢力Ｆ５によって給紙カセット８０は、記録装置本体に対して、常に付勢された状態で保持されるため、安定した給紙動作を行うことができる。図６（ｄ）は図５（ｄ）の状態を裏面から見たときの図である。
【００３０】
図５（ｅ）は、カセット引き込みレバー７１の状態が図５（ｄ），図６（ｄ）の様にカセット引き込み状態にあるときに、給紙カセット８０が挿入されてしまった場合のカセット引き込みレバーの退避した状態を示している。図６（ｅ）は図５（ｅ）の状態を裏面から見たときの図である。
【００３１】
カセット引き込みレバー７１の状態が、図５（ｄ），図６（ｄ）の様にカセット引き込み状態にあるときに、給紙カセット８０が挿入されてしまった場合、カセット引き込みレバー７１の７１ｆの面とインナーカセット８１の面８１ａが当接する。このときカセット引き込みレバー７１には、給紙カセット８０の挿入力Ｆ２が作用する。このときカセット引き込みレバー７１は、引き込みバネ７２の付勢力Ｆ５が作用しているため、タブ７１ｄの動きが規制される。また、カセットレール６６の退避経路６６ｃは、タブ７１ｄが溝６６ａの端部にあるときの、タブ７１ｄの中心から円弧状に構成されているため、カセット引き込みレバー７１は、動きが規制されているタブ７１ｄを回転中心として回転し、タブ７１ｃはカセットレールＲ６６の退避経路６６ｃに進入する。
【００３２】
このようにカセット引き込みレバー７１のタブ７１ｃがカセットレールＲ６６の退避経路６６ｃに進入し、カセット引き込みレバー７１が退避することによって、給紙カセット８０を図５（ｄ），図６（ｄ）のような通常のセット位置まで押し込むことができるようになる。またカセット引き込みレバー７１が退避状態のとき、カセット引き込みレバー７１の弾性部７１ｅは、記録装置本体に設けられた固定部材７３に当接し、たわんだ状態になる。
【００３３】
この状態で給紙カセット８０を通常のセット位置まで押し込んでいくと、カセット引き込みレバー７１の先端部７１ｇは、弾性部７１ｅの復元力によってインナーカセット８１の面８１ｄに押し付けられる状態になる。そしてさらに給紙カセット８０が押し込まれていくため、先端部７１ｇはインナーカセット８１の面８１ｄをすべり、給紙カセット８０が完全に通常のセット位置まで押し込まれると、カセット引き込みレバー７１の先端部７１ｇは、インナーカセットの８１の面８１ｄから面８１ｂにすべりながら脱落する。このようにカセット引き込みレバー７１は、引き込み状態のときに給紙カセット８０を挿入されても給紙カセット８０と引っかかることなく、給紙カセット８０がセット状態まで押し込まれると、図５（ｄ）、図６（ｄ）のようなカセット引き込み状態とほぼ同じ状態に復帰することができる。
【００３４】
図６（ｆ）はカセットレールＲ６６にカセット引き込みレバー７１をセットしたときを裏側から見た図である。カセットレールＲ６６にカセット引き込みレバー７１をセットするために、図６（ｆ）中の６６ｄのような溝を、通常のカセット引き込みレバー７１の回動の軌跡外に設け、セット引き込みレバーをセットする。これによりカセット引き込みレバー回動中の脱落を回避できる。
【００３５】
次に給紙カセット８０が記録装置本体から引き出される際の動作を説明する。
【００３６】
図５（ｄ）のように記録装置本体に完全に給紙カセット８０が装着された状態から、給紙カセット８０を記録装置本体から引き出すとき、給紙カセット８０を引き出そうと、使用者によって引き出し力Ｆ６が給紙カセット８０にかけられる。この力が引き込みバネ７２の付勢力Ｆ５よりも大きいとき、インナーカセット８１の面８１ｂがカセット引き込みレバー７１の面７１ｂを押し、それによってカセット引き込みレバー７１が回動を始め、給紙カセット８０が引き出され始める。
【００３７】
さらに給紙カセット８０が引きだされ、図５（ｃ）から図５（ｂ）の状態までカセット引き込みレバー７１が回動すると、それまでカセット引き込みレバー７１を回動させていたインナーカセット８１の面８１ｂが、カセット引き込みレバー７１の面７１ｂから離間を開始する。しかしながら、引き込みバネ７２の付勢力は、カセット引き込みレバー７１の面７１ａを介して、使用者による給紙カセット８０の引き出し力を補助する力として働く。そのため使用者にとっての快適な操作性を実現することができる。さらに給紙カセット８０が使用者によって引き出されると、図５（ａ）のようにカセット引き込みレバー７１が給紙カセット８０の再挿入を待つ通常待機位置に戻る。
【００３８】
以上が通常状態でのカセット引き込み機構の概略である。
【００３９】
次にカセット引き込みレバー７１が、給紙カセット８０の引き込み動作中に不具合が生じて、カセット引き込みレバー７１がインナーカセット８１の所定の引っ掛け面から外れて、給紙カセット８０の着脱不良になってしまうことの回避手段について説明する。図７は、給紙カセット８０が着脱不良になってしまうときの一連の動作を示す模式的上面図である。
【００４０】
本構成のカセット引き込み機構は、前述のとおり給紙カセット８０を記録装置に挿入する挿入力により、カセット引き込みレバー７１が回動して、ある回動状態以降（図６（ｃ））、引き込みバネ７２の付勢力によって、給紙カセット８０を記録装置本体に引き込む構成となっている。図７（ａ）は給紙カセット８０が挿入され、カセット引き込みレバー７１の面７１ａがインナーカセット８１の面８１ａに当接したときの模式図である。図７（ｂ）は、さらに給紙カセット８０が押し込まれ、カセット引き込みレバー７１の面７１ａがインナーカセット８１の面８１ａから離れたときを示した模式図である。図７（ｃ）は、さらに給紙カセット８０が押し込まれた際に、カセット引き込みレバー７１が追従して回動する事ができず、カセット引き込みレバー７１の先端部７１ｈがインナーカセット８１の面８１ｄに乗り上げてしまっている状態を示した模式図、図７（ｄ）は、さらに給紙カセット８０が押し込まれ、セット状態の位置まで押し込まれたが、カセット引き込みレバー７１が引き込み状態ではない位置に入り込んでしまった状態を示した模式図である。
【００４１】
図７（ａ）から図７（ｂ）にかけて給紙カセット８０の挿入力によって、カセット引き込みレバー７１は図のように回動するが、図７（ｃ）の状態になったとき、給紙カセット８０の記録装置本体への挿入速度が速すぎると、カセット引き込みレバー７１は本来なら図７（ｂ）以降、７１ｂの面でインナーカセット８１の面８１ｂを押し始め、引き込みバネ７２の付勢力Ｆ４によって、給紙カセット８０を記録装置本体に引き込むところが、カセット引き込みレバー７１の引き込みバネ７２の付勢力による回動が、給紙カセット８０の挿入よりも遅れてしまい、カセット引き込みレバー７１の先端部７１ｈがインナーカセット８１の面８１ｄに乗り上げてしまう。そして給紙カセット８０がそのまま押し込まれセット状態になったとき、カセット引き込みレバー７１は図５（ｄ）のような通常の引き込み状態ではなく、図７（ｄ）のような位置に入り込んでしまう。この状態から給紙カセット８０を引き出そうとすると、インナーカセット８１の面８１ｂとカセット引き込みレバー７１の面７１ｉが当接し、給紙カセット８０に働く引き出し力Ｆ６はさらにカセットを引き出そうとするが、カセットレールＲ６６の溝６６ａがないため、ここでカセット引き出しレバー７１が引っ掛かり、これ以上給紙カセット８０を引き出すことができない。さらに強い力で引き出そうとするとカセット引き込みレバー７１が破損してしまう可能性もある。
【００４２】
この問題点を解決するための手段を説明する。図８は図７（ｄ）の状態から、使用者が給紙カセット８０を引き出すときを示した模式的側断面図である。本構成では、図８のようにカセット引き込みレバー７１の面７１ｉを、インナーカセット８１の面８１ｂに対して斜面にした。またインナーカセット８１の面８１ｂ上部に斜面を設けた。これにより、図７（ｄ）のような位置に入り込んでしまったとき、使用者が引き出し力Ｆ６で給紙カセット８０を引き出したとき、カセット引きこみレバー７１の面７１ｉとインナーカセット８１の面８１ｂが当接し、カセット引きこみレバー７１が上側に逃げるため、給紙カセット８０を引き出すことが出来る。また給紙カセット８０を引き込む為の、カセット引きこみレバーの面７１ｂ（図５（ｄ）参照）はカセット引きこみレバーの面７１ｉに対して、高さ方向で下側にあるため、給紙カセット８０を引き込む際には、インナーカセットの面８１ｂにしっかりと引っかかることが出来る。
【００４３】
以上が本発明の実施形態である。
【図面の簡単な説明】
【００４４】
【図１】本発明の一実施形態に係る記録装置の全体構成を示す模式的斜視図である。
【図２】本発明の一実施形態に係る記録装置の全体構成を示す模式的側断面図である。
【図３】本発明の一実施形態に係る記録装置の前方下部に着脱される給紙カセット周辺の模式的斜視図である。
【図４】本発明の一実施形態に係る記録装置と給紙カセット周辺の模式的斜視図である。
【図５】本発明の一実施形態に係る記録装置に給紙カセットを着脱する構成を示す模式的上面図である。
【図６】本発明の一実施形態に係る記録装置に給紙カセットを着脱する構成を示す模式的下面図である。
【図７】本発明の一実施形態に係る記録装置に給紙カセットを着脱する構成を示す模式的上面図である。
【図８】本発明の一実施形態に係る記録装置に給紙カセットを着脱する構成を示す模式的断面図である。
【符号の説明】
【００４５】
１  記録ユニット本体
１０  シャーシ
１１  記録ヘッド
１２  インクタンク
１３  キャリッジ
１４  ガイドシャフト
１５  ガイドレール
１６  キャリッジベルト
１７  キャリッジモータ
１８  コードストリップ
１９  アイドラプーリ
２１  紙送りローラ
２２  ピンチローラ
２３  ピンチローラホルダ
２４  ピンチローラばね
２５  紙送りローラプーリ
２６  ＬＦモータ
２７  コードホイール
２９  プラテン
３０  第１排紙ローラ
３１  第２排紙ローラ
３２  第１拍車列
３３  第２拍車列
３４  拍車ベース
３６  メインテナンスユニット
３７  メインＡＳＦ
３８  ＡＳＦベース
３９  給紙ローラ
４０  分離ローラ
４１  圧板
４２  サイドガイド
６０  ＰＦＵ（ＰＡＰＥＲ  ＦＥＥＤ  ＵＮＩＴ）
６１  ＰＦ  ベース
６２  カセット給紙ローラ
６３  カセット分離ローラ
６４  カセット戻し爪
６５  カセットレールＬ
６６  カセットレールＲ
６６ａ  カセットレールＲにあるカセット引きこみレバーの摺動する溝
６６ｂ  カセットレールＲにあるカセット引きこみレバーを取り付けるための溝
６６ｃ  カセットレールＲにあるカセット引きこみレバーの退避用の溝
６６ｄ  カセットレールＲにあるカセット引きこみレバーの摺動する溝
６７  圧板バネＬ
６８  圧板バネＲ
６９  圧板アームＬ
７０  圧板アームＲ
７１  カセット引きこみレバー
７１ａ  カセット引きこみレバーの面
７１ｂ  カセット引きこみレバーの面
７１ｃ  カセット引きこみレバーのカセットレールＲを摺動するタブ
７１ｄ  カセット引きこみレバーのカセットレールＲを摺動するタブ
７１ｅ  カセット引きこみレバーの弾性部
７１ｆ  カセット引きこみレバーの面
７１ｇ  カセット引きこみレバーの先端部
７１ｈ  カセット引きこみレバーの先端部
７１ｉ  カセット引きこみレバーの面
７２  引きこみバネ
７３  記録装置本体に設けられた固定部材
７４  ピックアップカムＬ
７５  ピックアップカムＲ
８０  給紙カセット
８１  インナーカセット
８１ａ  インナーカセットの面
８１ｂ  インナーカセットの面
８１ｄ  インナーカセットの面
８２  アウターカセット
８３  カセット圧板
８３ａ  カセット圧板の圧板アームＬとの当接部
８３ｂ  カセット圧板の圧板アームＲとの当接部
８４  カセットサイドガイド
８５  カセットエンドガイド
Ｆ１  通常待機位置における引き込みバネによる力
Ｆ２  給紙カセット挿入時の使用者による挿入力
Ｆ４  引きこみバネが給紙カセットを本体に引き込む力
Ｆ５  引きこみバネが給紙カセットを本体に引き込む力
Ｆ６  給紙カセット引き出し時の使用者による引き出し力
【図１】
2006036475.tif 000003
【図２】
2006036475.tif 000004
【図３】
2006036475.tif 000005
【図４】
2006036475.tif 000006
【図５】
2006036475.tif 000007
【図６】
2006036475.tif 000008
【図７】
2006036475.tif 000009
【図８】
2006036475.tif 000010